(57)【特許請求の範囲】
【請求項１】
ガスコンロの天板上に設けられ、
前記天板を挿通するコンロバーナの周囲に並設されて調理容器が載置される複数の五徳爪を備え、
前記五徳爪が、金属製の芯材と、前記芯材の表面に被覆されたホーロー層と、を備える五徳であって、
前記五徳爪における前記コンロバーナと対向する側の端部から、前記端部と反対側の端部側に所定距離隔てた位置までの部分に、前記ホーロー層の表面に被覆されるセラミック層を備え、
前記セラミック層は、筒状をしたセラミックが前記ホーロー層に被嵌されることにより形成されるものであり、
前記セラミック層の上端部に凹凸を有することを特徴とする五徳。
【発明の詳細な説明】
【技術分野】
【０００１】
本発明は、ガスコンロに設けられる五徳に関するものである。
【背景技術】
【０００２】
従来より、ガスコンロの天板上に設けられ、調理容器が載置される複数の五徳爪を備えた五徳が広く利用されている。このような五徳のうち、五徳爪が、金属製の芯材と、芯材の表面に被覆されたホーロー層と、を備えた五徳が知られている（例えば特許文献１参照）。
【先行技術文献】
【特許文献】
【０００３】
【特許文献１】特開２０１１−１７９７７５号公報
【特許文献２】特開２００７−００３１２８号公報
【発明の概要】
【発明が解決しようとする課題】
【０００４】
特許文献１に示されるような五徳において、コンロバーナと対向する五徳爪の先端が高温になると、五徳爪の先端の表面を覆うホーロー層が変色して五徳の美観を損なう惧れがある。また、ホーロー層が加熱されて高温になると、ホーローが軟化して、軟化したホーローが調理容器の荷重によって変形（流動）する惧れがあり、五徳爪の芯材が露出すると、五徳の耐食性が劣化する惧れがある。
【０００５】
そこで、五徳爪が加熱されて高温になり難いように、特許文献２に示される技術を適用することが考えられる。特許文献２においては、コンロバーナの天板上に露出する部分を囲むように天板上に五徳を載置し、五徳上に調理容器を載置して支持できるようになっている。そして、コンロバーナにおいて、五徳爪に対応する部分に隣接する炎孔の間隔を、他の部分の標準の間隔より広くしてある。これにより、五徳爪の火炎からの距離を長くして、大きな火炎が五徳爪を炙るようなことがないようにしている。
【０００６】
しかしながら、できるだけ小さい径の調理容器を載置可能としようとすると、五徳爪とコンロバーナとの距離を短くする必要が生じる。この場合、特許文献２に示される技術を特許文献１に示されるホーロー層を有する五徳に適用しても、五徳爪の先端が高温になることが回避できない。
【０００７】
本発明は、五徳爪がコンロバーナによって加熱されて、五徳爪が、ホーロー層が変色したり変形したりする程度の高温になった場合でも、五徳爪が変色したり変形したりして美観を損なうことが抑制され、五徳の耐食性の劣化が防止できる、五徳を提供することを課題とする。
【課題を解決するための手段】
【０００８】
上記課題を解決するために、請求項１に係る発明は、ガスコンロの天板上に設けられ、前記天板を挿通するコンロバーナの周囲に並設されて調理容器が載置される複数の五徳爪を備え、前記五徳爪が、金属製の芯材と、前記芯材の表面に被覆されたホーロー層と、を備える五徳であって、前記五徳爪における前記コンロバーナと対向する側の端部から、前記端部と反対側の端部側に所定距離隔てた位置までの部分に、前記ホーロー層の表面に被覆されるセラミック層を備え、前記セラミック層は、筒状をしたセラミックが前記ホーロー層に被嵌されることにより形成されるものであり、前記セラミック層の上端部に凹凸を有することを特徴とする。
【発明の効果】
【００１１】
請求項１に係る発明にあっては、五徳爪がコンロバーナによって加熱され、五徳爪が、ホーロー層が変色したり変形したりする程度の高温になった場合でも、五徳爪が変色したり変形したりして美観を損なうことが抑制され、五徳の耐食性の劣化が防止できる。また、セラミック層の上端部に凹凸が設けられることにより、五徳爪上に載置された調理容器の位置がずれたり、調理容器が五徳から脱落するのが抑制される。
【図面の簡単な説明】
【００１４】
【図１】本発明の第一実施形態のガスコンロの天板から上の部分を斜め上方より見た斜視図である。
【図２】（ａ）は第一実施形態におけるバーナを通る面の要部縦断面図であり、（ｂ）は（ａ）の一部拡大図である。
【図３】第一実施形態における五徳を斜め上方より見た斜視図である。
【図４】第一実施形態における五徳の正面図である。
【図５】第一実施形態における五徳とバーナリングとを組み合わせた状態の斜め上方より見た斜視図である。
【図６】第一実施形態における五徳とバーナリングとリングカバーとを組み合わせた状態の斜め上方より見た斜視図である。
【図７】第二実施形態における五徳の正面図である。
【図８】第三実施形態における五徳の正面図である。
【発明を実施するための形態】
【００１５】
以下、本発明を添付図面に示す実施形態に基いて説明する。
【００１６】
図１に示すように、ガスコンロは、コンロバーナ２や操作部（図示せず）や制御機器（図示せず）等を取り付ける基台となる、上方に開口する筐体からなる本体（図示せず）と、本体の上端部に被着される天板１と、天板１に設けられるコンロ部１１と、を備えている。天板１は、アルミニウム合金等の金属板やガラス板で主体が構成される。天板１の表面に化成皮膜が形成してあってもよいし、化成皮膜が形成されていなくてもよい。
【００１７】
第一実施形態では、図１に示すように、天板１の上面に、標準バーナ２ａを備えた左コンロ部１１ａが向かって左側の手前に設けられ、小バーナ２ｂを備えた後コンロ部１１ｂが左右方向中央部の奥に設けられ、高火力バーナ２ｃを備えた右コンロ部１１ｃが向かって右側の手前に設けられている。
【００１８】
コンロバーナ２は、図２（ａ）に示すように、本体に取り付けられる混合管２１と、混合管２１の下流側の端部の上部に形成されるバーナボディ２２と、バーナボディ２２の上部に形成され、天板１に穿設されたバーナ挿通開口１０（図２（ｂ）参照）を介して天板１の上方に露出するバーナヘッド２３とからなる。バーナヘッド２３の外周面には、複数の炎孔（図示せず）が平面視において円状等の環状に形成されている。第一実施形態では、図１に示すように、コンロ部１１ａ〜１１ｃを構成する略円形状をした三個のバーナ挿通開口１０をそれぞれ天板１の左側の手前、左右方向中央部の奥、右側の手前に穿設してあり、バーナ挿通開口１０を標準バーナ２ａ、小バーナ２ｂ、高火力バーナ２ｃがそれぞれ下方より挿通して上方に突出している。
【００１９】
図２に示すように、天板１のバーナ挿通開口１０の内端縁とコンロバーナ２のバーナボディ２２外周面との隙間Ｓには、平面視略円環状をしたバーナリング３が介装される。バーナリング３は、図２および図５に示すように、略円筒状をした筒部３１と、筒部３１の上端部の外周側に全周に亙って突出する外鍔部３２と、からなるもので、第一実施形態では更に、筒部３１の上端部の内周側に全周に亙って突出する内鍔部３３を備えている。
【００２０】
またバーナリング３の外鍔部３２の上面に、図５に示すように、後述する嵌合突片４３が位置する部分に、嵌合突片４３が嵌合する嵌合凹部３５を設けるものである。
【００２１】
第一実施形態では、天板１にバーナリング３を取り付けるもので、図２に示すように、バーナリング３の筒部３１を天板１の上方からバーナ挿通開口１０に挿通させて取り付ける。これにより、バーナリング３は天板１に所定の位置および所定の向きで取り付けられる。バーナリング３の外鍔部３２の下面には、平面視環状をした凹溝３４ａが形成してあり、この凹溝３４ａにシール部材３４ｂを装填してある。バーナリング３を天板１に取り付けた際、外鍔部３２が天板１のバーナ挿通開口１０の周縁の上面に当接するのであるが、この時、シール部材３４ｂが天板１の上面に圧接されてシールがなされる。
【００２２】
そして、天板１の上面には、各コンロバーナ２を中央に配置した五徳４を設けるもので、コンロバーナ２と五徳４とで、五徳４上に載置される鍋等の調理容器（図示せず）を加熱するコンロ部１１が構成される。
【００２３】
五徳４は、図２に示すように、天板１上に設けられ、天板１を挿通するコンロバーナ２の周囲に並設されて調理容器が載置される複数の五徳爪４２を備えるものである。第一実施形態では、図３および図４に示すように、略環状をした五徳枠４１と、複数個の五徳爪４２とを一体に組み立てて形成されている。また、五徳枠４１は、断面略円形状の金属製の丸棒材を平面視環状に曲成して形成し、五徳爪４２は、五徳枠４１の周方向に複数個（第一実施形態では６個）が略等間隔に形成してある。なお、五徳枠４１は平面視環状をしていなくて周方向の一部が途切れていたりしてもよく、また、平面視における形状は略円形状や略正方形状等、特に限定されない。五徳爪４２については後で詳述する。
【００２４】
五徳４は、バーナリング３に対して所定の位置および所定の向きで取り付ける必要があり、そのための位置決め手段が設けられる。第一実施形態では、五徳枠４１の平面視形状を非円形状とすると共に、バーナリング３の外鍔部３２に五徳枠４１を嵌合可能な五徳枠嵌合部を設けて、前記位置決め手段が形成されている。
【００２５】
五徳枠４１は、第一実施形態では図３に示すように、平面視形状を、その環状をした周方向の一部を円弧とすると共に、残りの部分を円弧を延長して形成される円上の別の円弧とならない形状とするもので、特に図示例では、中心角が１５０度程の同円上の二つの円弧状部４１ａを対向させて距離を若干離し、二つの円弧状部４１ａの同じ側の端部間を直線部４１ｂで結んで、点対称となる形状にしてある。円弧状部４１ａの中心角は特に１５０度でなくてもよい。
【００２６】
バーナリング３は、第一実施形態では図５に示すように、五徳枠４１の円弧状部４１ａおよび直線部４１ｂに対応する円弧状部および直線部を形成して、外鍔部３２の外郭形状を五徳枠４１の平面視形状と略同形状に形成してあり、この外周端縁が五徳枠嵌合部として機能する。
【００２７】
五徳４とバーナリング３とは、図５に示すように、五徳枠４１の内周端縁がバーナリング３の外鍔部３２の外周端縁に嵌まって嵌合する。五徳枠４１およびバーナリング３の外鍔部３２の外郭形状は非円形状をしているため、五徳４とバーナリング３とが嵌合した状態では、五徳４はバーナリング３に対して位置決めされるだけでなく周方向に相対的に回転することができない。これにより、五徳枠４１のバーナリング３に対する取り付け位置および向きを所定の位置および所定の向きとすることができる。
【００２８】
また第一実施形態では、図２および図６に示すように、バーナリング３の上面を覆うリングカバー５を設けてある。これにより、加熱調理の際に鍋から煮汁がこぼれたりしても汚れはバーナリング３に付着せずリングカバー５に付着するため、リングカバー５だけを洗浄すればよくてお手入れ性が向上するものである。また第一実施形態では、リングカバー５は、コンロバーナ２の外周（詳しくはバーナヘッド２３の外周）と五徳枠４１の内周との間に配置するもので、これにより、五徳４の着脱がし易くなって使い勝手がよくなるものである。なお、嵌合突片４３に対応する部分には、該嵌合突片４３を逃がす切欠５１を形成してある。
【００２９】
以下、五徳爪４２について説明する。図３および図４に示すように、五徳爪４２は、金属製の芯材（図示せず）と、芯材の表面に被覆されたホーロー層４２ｂと、を備えるものである。第一実施形態では、略コ字状に形成される所定の厚みの鋼板等の金属製の平板で芯材（生地）が構成され、芯材の表面全面にホーロー層４２ｂが形成されて五徳爪４２が形成されている。そして、この五徳爪４２の略コ字状となった下片の尖先端を五徳枠４１に溶接により固着して、五徳４が一体に形成されている。各五徳爪４２は、平面視における長手方向が、五徳枠４１の径内外方向を向くように固定されている。さらに第一実施形態では、一部の五徳爪４２に、内側（五徳枠４１の中心側）の端部の五徳枠４１に溶接された部分の上側から、五徳枠４１を超えて内側に突出して下方に突出する嵌合突片４３が形成されている。
【００３０】
そして、本発明においては、図４に示すように、五徳爪４２におけるコンロバーナ２と対向する側の端部４４から、この端部４４と反対側の端部４５側に所定距離隔てた位置４６までの部分に、ホーロー層４２ｂの表面に被覆されるセラミック層４２ａを備えるものである。第一実施形態では、五徳爪４２における端部４４から位置４６までの部分の表面全面に、セラミック層４２ａが形成されている。セラミック層４２ａが形成された部分は、中心側より芯材、ホーロー層４２ｂ、セラミック層４２ａからなる三層構造となっている。なお、位置４６を決定する、端部４４からの所定距離としては、２ｃｍ、３ｃｍ、４ｃｍ、５ｃｍ、６ｃｍ、７ｃｍ、８ｃｍ、９ｃｍ、１０ｃｍ等、載置される調理容器の大きさや載置される頻度に応じて、適宜設定される。なお、前記所定距離は、前記数値に限定されない。
【００３１】
ホーロー層４２ｂへのセラミック層４２ａの被覆の方法は、セラミックを溶射したり、筒状をしたセラミックをホーロー層４２ｂへ被嵌したり、ホーロー層４２ｂの形成時にセラミックを埋設させたり等、種々の方法が可能で、特に限定されない。第一実施形態では、ホーロー層４２ｂへのセラミック層の溶射により、セラミック層４２ａが形成されている。
【００３２】
このようなセラミック層４２ａが形成されることにより、ホーロー層４２ｂの流動が抑制される。すなわち、五徳爪４２におけるコンロバーナ２と対向する側の部分は、調理容器が載置されてコンロバーナ２の外周に形成される火炎により加熱され、加熱されて温度が高くなる程、この部分に被覆されているホーロー層４２ｂが流動し易くなる。本発明においては、五徳爪４２における端部４４から位置４６までの部分にセラミック層４２ａを設けることにより、五徳爪４２がコンロバーナ２の火炎により加熱されても、セラミック層４２ａが表面側程高温となる温度勾配を有することとなり、ホーロー層４２ｂの温度が上昇するのが抑制される。これによって、セラミック層４２ａが被覆されている、五徳爪４２における端部４４から位置４６までの部分のホーロー層４２ｂが流動するのが抑制される。なお、五徳爪４２における位置４６よりも、コンロバーナ２から遠い外側の部分におけるホーロー層４２ｂは、コンロバーナ２の火炎からの距離が長いため、火炎により加熱されても流動する程高温とはならず、流動する惧れは殆どない。
【００３３】
特に、五徳爪４２における端部４４から位置４６までの部分は、大きな調理容器が載置される場合は勿論のこと小さな調理容器が載置される場合でも調理容器が載置されるため、最もよく調理容器が載置される部分である。このため、五徳爪４２における端部４４から位置４６までの部分のホーロー層４２ｂが、最も流動し易いが、上述したセラミック層４２ａによって流動が抑制される効果が最も高く得られる。
【００３４】
セラミック層４２ａによってホーロー層４２ｂが高温となるのが抑制されることにより、五徳４の変色が抑制され、美観を損なうことが抑制される。また、セラミック層４２ａによってホーロー層４２ｂの流動が抑制されることにより、五徳４の変形が抑制され、美観を損なうことが抑制される。また、調理容器がホーロー層４２ｂに直接接触しないため、ホーロー層４２ｂが損傷するのが抑制され、五徳４の耐食性の劣化が防止される。
【００３５】
そして、第一実施形態においては、セラミック層４２ａの上端部に凹凸を有するものである。凹凸は、セラミック層４２ａの表面に形成される窪みや溝等からなる凹所や、リブや点在する凸部や、前記凹所および凸部の両方を有するものや、層内に形成される気孔等であり、特に限定されない。第一実施形態では、ホーロー層４２ｂへのセラミックの溶射により、セラミック層４２ａ内に気孔（図示せず）が形成されることで、凹凸が形成されている。
【００３６】
セラミック層４２ａの上端部にこのような凹凸が設けられることにより、五徳爪４２上に載置された調理容器が五徳爪４２上を滑り難くなり、五徳爪４２上に載置された調理容器の位置がずれたり、調理容器が五徳４から脱落するのが抑制される。
【００３７】
また、セラミック層４２ａ内に気孔が形成されれば凹凸が形成されるため、凹凸の形成が容易であり、溝等により凹凸を形成するよりも製造コストが低コストで済む。
【００３８】
次に、溶射によるセラミック層４２ａの形成について説明する。
【００３９】
五徳爪４２における端部４４から位置４６までの溶射予定部分の少なくとも周囲の部分にマスキングを施す。なお、溶射予定部分以外の全面にマスキングを施してもよい。そして、セラミックを溶射予定部分に溶射する。溶射は、様々な既存の溶射法が適宜利用可能であり、特に限定されない。第一実施形態では、ホーロー層４２ｂを基材とし、粉末のセラミックを溶射材料として、フレーム溶射、高速フレーム溶射、プラズマ溶射、コールドスプレー法、爆発溶射等により、気孔からなる凹凸を有するセラミック層４２ａを形成している。
【００４０】
このように、マスキングを施した上で溶射を行うことにより、溶射予定部分以外の部分に気孔からなる凹凸を有するセラミック層４２ａが形成されるのが防止される。これにより、溶射予定部分以外の部分において、気孔からなる凹凸が形成されてお手入れ性が損なわれるのが抑制される。
【００４１】
次に、第二実施形態について図７に基いて説明する。なお、第二実施形態は第一実施形態と大部分において同じであるため、同じ部分については同符号を付して説明を省略し、主に異なる部分について説明する。
【００４２】
第一実施形態では、ホーロー層４２ｂへのセラミック層４２ａの被覆は、セラミックの溶射により行っていたのに対し、第二実施形態では、筒状をしたセラミックがホーロー層４２ｂに被嵌されることにより、セラミック層４２ａが形成されている。
【００４３】
また、第一実施形態では、ホーロー層４２ｂへのセラミックの溶射時に形成されるセラミック層４２ａ内の気孔により、凹凸が形成されていたのに対し、第二実施形態では、セラミック層４２ａの上端部に形成される溝による凹凸形状によって、凹凸４２ｃが形成されている。このように、溶射以外の方法により、セラミック層４２ａおよび凹凸４２ｃが形成可能である。
【００４４】
次に、第三実施形態について図８に基いて説明する。なお、第三実施形態は第二実施形態と大部分において同じであるため、同じ部分については同符号を付して説明を省略し、主に異なる部分について説明する。
【００４５】
第二実施形態では、筒状をしたセラミックがホーロー層４２ｂに被嵌されることにより、五徳爪４２の端部４４から位置４６までの部分の表面全面に、セラミック層４２ａが形成されているのに対し、第三実施形態では、五徳爪４２の端部４４から位置４６までの部分の上端部のみにセラミック層４２ａが形成されている。
【００４６】
これにより、調理容器が載置される五徳爪４２の端部４４から位置４６までの部分の上端部にのみ、セラミック層４２ａが形成されて、お手入れ性が損なわれるのがより一層抑制される。  
【符号の説明】
【００４７】
１    天板
１０  バーナ挿通開口
１１  コンロ部
２    コンロバーナ
３    バーナリング
３１  筒部
３２  外鍔部
３５  嵌合凹部
４    五徳
４１  五徳枠
４２  五徳爪
４２ａ  セラミック層
４２ｂ  ホーロー層
４２ｃ  凹凸
４３  嵌合突片
４４  端部
４５  端部
４６  所定距離隔てた位置
５    リングカバー
【図１】
0006502656.tif 000002
【図２】
0006502656.tif 000003
【図３】
0006502656.tif 000004
【図４】
0006502656.tif 000005
【図５】
0006502656.tif 000006
【図６】
0006502656.tif 000007
【図７】
0006502656.tif 000008
【図８】
0006502656.tif 000009